(57)【要約】【課題】  同一排紙トレイに混在出力された複数ユーザの複数部の印刷ジョブの誤取得防止および取り忘れ防止。【解決手段】  印刷ジョブ毎に、無線ＩＣのシールを添付し、ユーザＩＤと無線ＩＣのＩＤの対応を記憶したテーブルを保持することで、複数のユーザのジョブを混在して持ち去った場合や、複数ある自分の印刷ジョブのうち、一部をとり忘れた場合に、警告を行う。【選択図】  図１
2006334973.tif 000002
【特許請求の範囲】
【請求項１】
印刷物の誤取得や取り忘れに対して警告を行う印刷装置であって、
印刷ジョブの依頼元に関する情報を検知する依頼元情報検知手段と、
印刷物に識別情報を添付する手段と、
前記依頼元検知情報と前記識別情報との組み合わせを記憶する記憶手段と、
印刷物を排紙トレイに出力する手段と、
排紙トレイ上の印刷物の移動を検知する手段と、
前記移動検知手段によって検知した結果に応じて警告を行う警告手段と、
を有することを特徴とする印刷装置。
【請求項２】
印刷物の誤取得や取り忘れに対して警告を行う印刷装置であって、
印刷ジョブの依頼元に関する情報を検知する依頼元情報検知手段と、
印刷物に読書き可能な無線タグを添付する手段と、
前記依頼元検知情報を無線タグに書き込む手段と、
前記無線タグに印刷物の識別情報を書き込む手段と、
印刷物を排紙トレイに出力する手段と、
前記排紙トレイ上にある前記印刷物の識別情報を記憶する手段と、
排紙トレイ上の印刷物の移動を検知する手段と、
前記移動検知手段によって検知した結果に応じて警告を行う警告手段と、
を有することを特徴とする印刷装置。
【発明の詳細な説明】
【技術分野】
【０００１】
本発明は、印刷出力された印刷物の誤取得や取り忘れに対して警告を行う印刷装置、印刷システム、印刷方法に関する。
【背景技術】
【０００２】
近年、オフィスではネットワークが張り巡らされ、多くの人が印刷装置を共有して使用している。このような環境では、複数のユーザの印刷物が同一の排紙トレイ上に折り重なって蓄積してしまうことがある。そして、自分の複数ジョブの間に他人のジョブが挟まってしまった場合は、誤って自分の印刷物の間に入っている他人の印刷物を持ってきてしまうことがある（以後、誤取得と呼ぶ）。また、複数の印刷ジョブの出力を指令した場合に、間に他人の印刷ジョブが挟まった場合、他人の印刷物が出力されているため、後から出力した自分の印刷物のみ取得し、他人の印刷物が出力される前に出力された自分の印刷物を取得し忘れることがある（以後、取り忘れと呼ぶ）。さらに、印刷出力を行ったまま印刷物を取得せず放置していることも多く見うけられる（以後、放置と呼ぶ）。誤取得、取り忘れ、放置とも、印刷物の情報が意図していない他人に漏洩してしまう危険があり、オフィスのセキュリティを低下させてしまう要因となってしまっている。
【０００３】
従来、印刷物の放置によりオフィスのセキュリティが低下する課題に対しては、いくつかの技術が提案されてきている。例えば、特開２００２−３２１４２９では、センサによりユーザの位置を検出し、ユーザが印刷装置の前に居るときにのみ印刷出力を行う技術を提案している。
【０００４】
また、特開２００２−６７４５７では、排紙トレイ上の印刷用紙の有無を検出するセンサを設け、一定時間取り除かれない印刷物に対しては、印刷ジョブの送信者に対して定期的に警告を送信する技術を提案している。
【０００５】
さらに、特開２００１−１２２５０１では、あるユーザ（ユーザＤ）宛ての印刷物が任意のビンに残存している状態で、同一のビンを排出先とする別のユーザ（ユーザＡ）宛ての印刷ジョブを処理しようとする場合、この印刷ジョブを処理してその別のユーザ（ユーザＡ）に出力完了通知を送信する前に同一のビンに印刷物が残存したままのユーザＤに対して出力完了通知を送信する技術を提案している。
【０００６】
また、印刷ジョブにパスワードを設定して印刷装置に送り、一旦、印刷ジョブを印刷装置の記憶装置に記憶し、ユーザが印刷装置に対してパスワードを入力して認証が成功した場合に印刷出力が行われる親展印刷機能は多くの複写機にて既に製品化されている。
【０００７】
また、近年、無線機器やＩＣチップの小型化が進んでいる。たとえば、非接触でデータの読み出しおよび書き換えが可能なＲＦＩＤタグなどでは、ラベル状のＲＦＩＤなどもあり、紙に貼り付けて使用することが可能である。そして、このＲＦＩＤでは、複数のＲＦＩＤタグの内の、限定したタグとのみアクセスすること（セレクティブアクセス方式）も可能である。
【特許文献１】特開２００２−３２１４２９号公報
【特許文献２】特開２００２−６７４５７号公報
【特許文献３】特開２００１−１２２５０１号公報
【発明の開示】
【発明が解決しようとする課題】
【０００８】
しかしながら、前述の技術のうち、特開２００２−３２１４２９や特開２００１−１２２５０１や親展印刷機能では、印刷出力を抑制するため印刷装置が印刷出力中は、ユーザは印刷装置の前で待機していなければならないという問題がある。
【０００９】
また、特開２００２−６７４５７では、放置対策とはなっているが、誤取得には有効な対策となっていない。そして、取り忘れの場合は、本来ユーザが印刷装置を離れようとした瞬間に警告することが望ましいが、特開２００２−６７４５７の手法では一定時間経過しなければ通知されないため、印刷装置と自分の席の間を何度も往復しなければならないという問題がある。
【００１０】
本発明の目的は、上記を鑑み、ユーザが印刷装置の前に居なくても予め印刷を行うことは抑制しないが、印刷物の誤取得、取り忘れ、放置に対して有効な警告を行うことを課題とする。
【課題を解決するための手段】
【００１１】
〔第１の発明〕
印刷物の誤取得や取り忘れに対して警告を行う印刷装置であって、
印刷ジョブの依頼元に関する情報を検知する依頼元情報検知手段と、
印刷物に識別情報を添付する手段と、
前記依頼元検知情報と前記識別情報との組み合わせを記憶する記憶手段と、
印刷物を排紙トレイに出力する手段と、
排紙トレイ上の印刷物の移動を検知する手段と、
前記移動検知手段によって検知した結果に応じて警告を行う警告手段と、
を有する。
【００１２】
〔第２の発明〕
印刷物の誤取得や取り忘れに対して警告を行う印刷装置であって、
印刷ジョブの依頼元に関する情報を検知する依頼元情報検知手段と、
印刷物に読書き可能な無線タグを添付する手段と、
前記依頼元検知情報を無線タグに書き込む手段と、
前記無線タグに印刷物の識別情報を書き込む手段と、
印刷物を排紙トレイに出力する手段と、
前記排紙トレイ上にある前記印刷物の識別情報を記憶する手段と、
排紙トレイ上の印刷物の移動を検知する手段と、
前記移動検知手段によって検知した結果に応じて警告を行う警告手段と、
を有する。
【発明の効果】
【００１３】
本発明によれば、ユーザが印刷装置のところに来る前に印刷を開始するため、ユーザが印刷物を取得する待ち時間が減少する効果がある。
【００１４】
本発明によれば、ユーザが取り忘れを行った場合、印刷装置の付近にユーザがいるときに取り忘れの警告を行うため、ユーザが印刷装置とユーザのデスクの間を行き来することを減少させることができる。
【００１５】
本発明によれば、従来、有効な対策がとれていなかった排紙トレイ上に蓄積された印刷物の誤取得に対して有効な警告を行うことが可能になる。
【発明を実施するための最良の形態】
【００１６】
次に、本発明の詳細を実施の形態の記述に従って説明する。
【００１７】
〔第１の実施の形態〕
第１の実施形態の特徴は、無線タグのＩＤが予め無線タグに書き込まれており、変更されないところである。
【００１８】
図１は、第１の実施の形態におけるシステムの構成図である。
【００１９】
情報端末Ａ１０１と情報端末Ｂ１０２と印刷装置１０３は互いにネットワーク１１１に接続されており、通信が可能である。印刷装置１０３には、印刷装置のユーザが印刷物の誤取得や取り忘れを行った場合に警告を行う警告装置１０４と、ユーザＩＤと無線タグのＩＤの対応を記憶しておくための記憶装置１０５と、印刷物を出力する出力装置１０６と、無線タグを印刷物に添付する無線タグ添付装置１０７と、出力した印刷物を保持する排紙トレイ１１２と、出力された印刷物１１０と、印刷物に付加された無線タグ１０９と、無線タグの内容を読み取るリーダ１０８とにより構成されている。
【００２０】
図２は、第１の実施の形態における印刷装置１０３のフローチャートである。
【００２１】
また、図３は記憶装置１０５が保持している印刷物に付加されている無線タグのＩＤとその印刷ジョブの出力を指示した情報端末のＩＤとの対応テーブルＴ３０１である。
【００２２】
印刷装置１０３は、情報端末Ａ１０１よりネットワーク１１１を介して印刷ジョブを受信するＳ２０１。このとき、印刷装置１０３は情報端末Ａ１０１から印刷ジョブを受信したことが分かるので、印刷物に添付する無線タグのＩＤと情報端末のＩＤを前記記憶装置１０５の組み合わせ情報をテーブルＴ３０１に記憶しておく。ステップＳ２０３では、印刷物に無線タグ１０９を貼り付ける。ステップＳ２０４では、出力装置１０６にて印刷を行い、無線タグ１０９が貼り付けられた印刷物１１０を排紙トレイ１１２上に出力する。ステップＳ２０５では、排紙トレイ上の印刷物の位置に変化を検出するまで待機する。ステップＳ２０６では、ユーザが排紙トレイ上の印刷物を取得したかどうかを検出する。検知方法は、前記テーブルＴ３０１に登録されている無線タグＩＤを持つ無線タグが貼り付けられた印刷物が、排紙トレイ上に存在するかどうかをリーダ１０８で無線タグのＩＤを読み取ることで判別する。テーブルＴ３０１に登録されている無線タグＩＤの無線タグが排紙トレイ上にない場合は、印刷物１１０に位置変化があったものと判別し、ステップ２０７へ進み、テーブルＴ３０１に登録されている無線タグＩＤを持つ無線タグが貼り付けられた印刷物が全て排紙トレイ上にある場合は、印刷物１１０に位置変化が無かったと判別してステップＳ２０５へ戻る。ステップＳ２０６にて印刷物１１０に位置変化があった場合は、ステップＳ２０７にて取り忘れがあるかどうかを判別する。取り忘れとは、図１において、端末Ａから印刷指令された印刷物１と３のうち、１のみを取得してしまうことである。取り忘れの判別方法のフローチャートは図４に示す。ステップＳ２０７にて印刷物の取り忘れがあると判別された場合、ステップＳ２０８へ進み警告装置１０４にて印刷物を取得したユーザに対して警告を行う。そして、ステップＳ２０９の誤取得の判別へ進む。ステップＳ２０７にて取り忘れが無いと判別された場合は、そのままステップＳ２０９の誤取得の判別へ進む。ステップＳ２０９では、誤取得の判別を行う。誤取得とは、図１において、ユーザＡが印刷物１と２と３すべてを取得してしまうことである。誤取得の判別方法に関しては、図５にてフローチャートで解説する。ステップＳ２０３にて誤取得と判別された場合、ステップＳ２１０にて警告装置１０４にてユーザに警告を行う。例えば、印刷物１、２、３をすべて取得してしまったユーザＡに対して、印刷物２は情報端末Ｂ１０２からの印刷物であるため、ユーザＡに対して間違って他人の印刷物を取得している可能性があることを伝達する。ステップＳ２１１では、ユーザが取得した印刷物に関する情報をテーブルＴ３０１から削除する。
【００２３】
図３は、記憶装置が保持している無線タグＩＤと情報端末ＩＤの対応のテーブルである。第１の実施形態では、無線タグのＩＤは予め無線タグに記憶されているものとし、これから印刷物に添付する無線タグのＩＤを読み取りテーブルに記憶する。また、情報端末ＩＤとは情報端末毎に異なる識別情報のことであり、例えば、情報端末のＩＰアドレスを用いる。
【００２４】
図４は取り忘れを判別するためのフローチャートである。
【００２５】
排紙トレイ１１２上の印刷物１１０に貼り付けられている無線タグ１０９のＩＤを定期的に検出し、テーブルＴ３０１に記憶されている無線タグのＩＤと比較を行うことで、排紙トレイ上から無くなった印刷物に付加されていた無線タグＩＤを取得するＳ４０１。ステップＳ４０２では、前記ステップにて取得した無線タグＩＤが付加されていた印刷物の印刷を指示した情報端末のＩＤを前記テーブルＴ３０１を用いて検索する。ステップＳ４０３では、ステップＳ４０２にて検出された情報端末ＩＤと同一の情報端末ＩＤで、かつ、今回移動されていないものが前記テーブルＴ３０１に保持されていないかを検索する。検索の結果、今回移動されたものと同じ情報端末から送信された印刷ジョブがあると判別された場合、ステップＳ４０５へ進み取り忘れと判別される。検索の結果、今回移動されたものと同じ情報端末から送信された印刷ジョブがないと判別された場合はステップＳ４０５へ進み、取り忘れた印刷ジョブはないと判別される。
【００２６】
図５は誤取得を判別するためのフローチャートである。
【００２７】
排紙トレイ１１２上の印刷物１１０に貼り付けられている無線タグ１０９のＩＤを定期的に検出し、テーブルＴ３０１に記憶されている無線タグのＩＤと比較を行うことで、排紙トレイ上から無くなった印刷物に付加されていた無線タグＩＤを取得するＳ５０１。次に、前記テーブルＴ３０１を用いて無くなった印刷物の印刷を指示した情報端末ＩＤを求める。さらに、ステップＳ５０３では、ステップＳ５０２の検索の結果検出された情報端末ＩＤが複数種類あるかどうかを検索する。排紙トレイ１１２から無くなった印刷物が複数の情報端末から送信された複数の印刷物であった場合は、ステップＳ５０５へ進み、誤取得であると判別される。一方、ステップＳ５０３にて検索を行った結果、単一の情報端末から送信された印刷ジョブのみ排紙トレイから持ちさられたと判別された場合は、ステップＳ５０５へ進み、誤取得ではない。
【００２８】
〔第２の実施の形態〕
第２の実施の形態は無線タグには予めＩＤは記憶されておらず、無線タグのライターによって書き込まれることである。
【００２９】
図６は、第２の実施の形態におけるシステムの構成図である。
【００３０】
第１の実施の形態とは、印刷装置６０３が無線タグライター６１３を有しているところが異なる。情報端末Ａ６０１と情報端末Ｂ６０２はネットワーク６１１を介して印刷装置６０３と互いに接続されている。印刷装置６０３は取り忘れや誤取得を警報する警報装置６０４と、印刷指示をした情報装置のＩＤと無線タグＩＤの対応を記憶する記憶装置６０５と、印刷出力を行う出力装置６０６と、無線タグを印刷物に添付する無線タグ添付装置６０７と無線タグに識別情報を書き込む無線タグライター６１３と、印刷物を蓄積する排紙トレイ６１２と、印刷物６１０と、無線タグ６０９と、無線タグ６０９を読み取る無線タグリーダ６０８とからなる。
【００３１】
図７は、第２の実施の形態における印刷装置６０３のフローチャートである。
【００３２】
ステップＳ７０１にて印刷ジョブを受信し、ステップＳ７０２にて印刷物の識別情報を無線タグに書き込み、ステップ７０３にて印刷指令を行った情報端末の識別情報と印刷物の識別情報の対応を記憶装置に記憶し、ステップ７０４にて無線タグを印刷物に貼り付け、ステップＳ７０５にて印刷物を出力し、ステップＳ７０６にてユーザが印刷物を取得しにくるまで待機する。ステップＳ７０７は、定期的に行う、印刷物の位置変化の検出で、ユーザが印刷物を取得したとき位置変化がありと判別しステップＳ７０８へ進む。位置変化が無い場合は、ステップＳ７０６へ戻り、一定時間待機する。ステップＳ７０８では、図４に示したフローにて取り忘れの判別を行い、取り忘れた印刷物がある場合にはステップＳ７０９にて取り忘れに対する警告を行い、ステップＳ７１０へ進む。ステップＳ７０８にて取り忘れがないと判別された場合も、ステップＳ７１０へ進む。ステップＳ７１０では、図５で示したフローにて誤取得があるかどうかを判別し、誤取得があると判別された場合は、ステップＳ７１１にて誤取得がある旨をユーザに警告する。ステップＳ７１０にて誤取得がないと判別された場合はステップＳ７１２へ進み、ユーザが取得した印刷物に関する情報を記憶装置から削除する。
【図面の簡単な説明】
【００３３】
【図１】図１は、第１の実施の形態におけるシステムの構成図である。
【図２】図２は、第１の実施の形態における印刷装置のフローチャートである。
【図３】図３は、記憶装置が保持している無線タグＩＤと情報端末ＩＤの対応のテーブルである。
【図４】図４は印刷装置が取り忘れを判別するためのフローチャートである。
【図５】図５は印刷装置が誤取得を判別するためのフローチャートである。
【図６】図６は、第２の実施の形態におけるシステムの構成図である。
【図７】図７は、第２の実施の形態における印刷装置のフローチャートである。
【図１】
2006334973.tif 000003
【図２】
2006334973.tif 000004
【図３】
2006334973.tif 000005
【図４】
2006334973.tif 000006
【図５】
2006334973.tif 000007
【図６】
2006334973.tif 000008
【図７】
2006334973.tif 000009